(57)【特許請求の範囲】
【請求項１】
照明器具の給電側ソケットに装着される直管形ランプの口金であって、
前記給電側ソケットに対向する対向端面を備えた円筒形状の口金本体と、
前記対向端面に突出して設けられた突出部と、
一定の距離を隔てて前記突出部に立設された一対の給電ピンと、
前記突出部における前記一対の給電ピンの間に形成された切り欠き部と、
を有し、
前記突出部は、
前記切り欠き部によって分断された第１突出部と第２突出部とを有し、
前記第１突出部及び前記第２突出部のそれぞれの前記切り欠き部側の端面は、直管形ランプの照射面側の端部に向かって互いに近づくような傾斜面となっている
直管形ランプの口金。
【請求項２】
照明器具の給電側ソケットに装着される直管形ランプの口金であって、
前記給電側ソケットに対向する対向端面を備えた円筒形状の口金本体と、
前記対向端面に突出して設けられた突出部と、
一定の距離を隔てて前記突出部に立設された一対の給電ピンと、
前記一対の給電ピンの間における前記突出部の一部に設けられ、前記口金本体よりも耐トラッキング性が高い弾性材料からなる保護部材と、
を有する直管形ランプの口金。
【請求項３】
照明器具の給電側ソケットに装着される直管形ランプの口金であって、
前記給電側ソケットに対向する対向端面を備えた円筒形状の口金本体と、
前記対向端面に突出して設けられた傾斜突出部と、
一定の距離を隔てて前記傾斜突出部に立設された一対の給電ピンと、を有し、
前記傾斜突出部には、
直管形ランプの照射面側の端面に向かって内側に傾斜する対向傾斜面が形成されている
直管形ランプの口金。
【請求項４】
前記一対の給電ピンには、対向面の突出部上部を覆う絶縁性の絶縁部材が設けられている請求項１〜３の何れか一項に記載の直管形ランプの口金。
【請求項５】
前記絶縁部材は、前記一対の給電ピンの対向面に連なる側面の少なくとも一方の突出部上部をさらに覆うように形成されている請求項４に記載の直管形ランプの口金。
【請求項６】
内部に発光ダイオードを収納した直管状の発光管と、
前記発光管の軸方向一端側に連結された請求項１〜５の何れか一項に記載の直管形ランプの口金と、
前記発光管の軸方向他端側に連結された保持側口金と、
を有する直管形ランプ。
【請求項７】
前記給電側ソケット及び前記保持側口金に接続される保持側ソケットを有する照明器具本体と、
前記給電側ソケットを介して前記発光管を点灯させる点灯装置と、
請求項６に記載の直管形ランプと、
を有する照明器具。
【発明の詳細な説明】
【技術分野】
【０００１】
本発明は、照明用の器具及び部品に関し、安全性が配慮された直管形ランプの口金、直管形ランプ、及び照明器具に関する。
【背景技術】
【０００２】
従来から、直管形のランプとしては、ＪＩＳ  Ｃ  ７７０９−１に規定されたＧ１３形口金を有する直管蛍光灯ランプ、又は安全性が配慮されたＧＸ１６ｔ−５タイプの口金を有する直管形ＬＥＤランプが知られている。特に昨今は、これまで主流であった直管蛍光灯ランプに代わって、省エネルギーで長寿命な直管形ＬＥＤランプが一般的になっている。直管形ＬＥＤランプは、内部に発光ダイオードを有する直管状の発光管と、発光管の軸方向の両端部に設けられた口金とを有しており、給電側の口金には、一対の給電ピンが設けられている（例えば特許文献１）。
【０００３】
直管形ＬＥＤランプを装着した照明器具が、埃又は湿気の多い箇所に設置された場合には、一対の給電ピンの間に塵埃などの汚損物質が付着しやすく、付着した汚損物質には、大気中の水分が吸収される。汚損物質の付着と吸湿が進むと、漏れ電流によるジュール熱等の発熱に起因して乾燥が進み、ドライバンドが形成される。そして、ドライバンドの形成箇所では、コロナ放電又は微小アーク放電が発生し、汚損物質が炭化する。更に炭化が進むと、一対の給電ピンの間に導電路が形成されることによりトラッキング現象が誘発される。
【０００４】
ところで、発光管内の発光ダイオードには、プラスとマイナスの電圧変化を繰り返す交流よりも、常にプラスの電圧を付与する直流を印加する方が、ちらつき防止等の観点から好ましいとされている。したがって、特許文献１では、直管形ＬＥＤランプでは、発光ダイオードと接続されている給電側の口金の一対の給電ピンに、全波整流器を介して直流の電力が印加されるように構成されている。
【先行技術文献】
【特許文献】
【０００５】
【特許文献１】特許第５５１４０１２号公報
【発明の概要】
【発明が解決しようとする課題】
【０００６】
しかしながら、直流の電力が印加されていると、一端給電ピン間に放電が発生する状況となった場合に、放電が途切れることなく継続することになる。このため、交流よりも直流の方が放電に対するリスクが高いといえるが、特許文献１の給電側の口金では、直管蛍光灯ランプの口金と同様の構成が採られている。また、直管蛍光灯ランプは、比較的寿命が短く、数年で取り換えられるため、トラッキング現象の発生は想定し難いが、直管形ＬＥＤランプは、比較的長寿命であるため、取り付けられたままの状態が長期間に亘って継続することも多い。すなわち、特許文献１の給電側の口金を用いた場合には、一対の給電ピンの間に、長期間に亘って汚損物質が溜まり続け、放電が繰り返される可能性が高く、トラッキング現象が発生するおそれがある。
【０００７】
本発明は、上記課題に鑑みてなされたものであり、直管形ランプの口金に設けられた一対の給電ピンの間に生じる放電を防止する直管形ランプの口金、直管形ランプ、及び照明器具を提供することを目的とする。
【課題を解決するための手段】
【０００８】
本発明に係る直管形ランプの口金は、照明器具の給電側ソケットに装着される直管形ランプの口金であって、給電側ソケットに対向する対向端面を備えた円筒形状の口金本体と、対向端面に突出して設けられた突出部と、一定の距離を隔てて突出部に立設された一対の給電ピンと、突出部における一対の給電ピンの間に形成された切り欠き部と、を有し、突出部は、切り欠き部によって分断された第１突出部と第２突出部とを有し、第１突出部及び前記第２突出部のそれぞれの前記切り欠き部側の端面は、直管形ランプの照射面側の端部に向かって互いに近づくような傾斜面となっている。
【０００９】
また、本発明に係る直管形ランプは、内部に発光ダイオードを収納した直管状の発光管と、発光管の軸方向一端側に連結された上記直管形ランプの口金と、発光管の軸方向他端側に連結された保持側口金と、を有するものである。
【００１０】
さらに、本発明に係る照明器具は、給電側ソケット及び保持側口金に接続される保持側ソケットを有する照明器具本体と、給電側ソケットを介して発光管を点灯させる点灯装置と、上記直管形ランプと、を有するものである。
【発明の効果】
【００１１】
本発明は、直管形ランプの口金は、口金本体の対向端面から突出する突出部に放電防止部が設けられているため、直管形ランプの口金に立設された一対の給電ピンの間に生じる放電を防止することができる。
【図面の簡単な説明】
【００１２】
【図１】本発明の実施の形態１に係る照明器具の斜視図である。
【図２】図１の照明器具に搭載された直管形ランプを例示する模式図である。
【図３】図２の直管形ランプが有する給電側口金を示す図のうち、図３（Ａ）は斜視図であり、図３（Ｂ）は正面図である。
【図４】本発明の実施の形態２に係る給電側口金を示す図のうち、図４（Ａ）は斜視図であり、図４（Ｂ）は平面図である。
【図５】本発明の実施の形態２に係る給電側口金において、絶縁部材が一対の給電ピンの照射方向における各側面の半分程度を覆う場合を示す平面図である。
【図６】本発明の実施の形態２に係る給電側口金において、絶縁部材が一対の給電ピンの対向面を覆う場合を示す平面図である。
【図７】本発明の実施の形態２に係る給電側口金において、絶縁部材によって対向面を覆う形状が半円状である場合を示す平面図である。
【図８】本発明の実施の形態３に係る給電側口金を示す図のうち、図８（Ａ）は斜視図であり、図８（Ｂ）は平面図である。
【図９】図８（Ｂ）のＱ−Ｑ線に沿った概略断面図である。
【図１０】図８（Ａ）の給電側口金を給電側ソケットに装着した状態を示す説明図である。
【図１１】本発明の実施の形態４に係る給電側口金を示す図のうち、図１１（Ａ）は斜視図であり、図１１（Ｂ）は平面図である。
【図１２】ＪＩＳ  Ｃ  ７７０９−１で規定されている、従来のＧＸ１６ｔ−５タイプの給電側口金を示す図のうち、図１２（Ａ）は斜視図であり、図１２（Ｂ）は正面図である。
【発明を実施するための形態】
【００１３】
（実施の形態１）
図１は、本実施の形態１における照明器具の斜視図である。図１に示すように、照明器具１００は、細長い直方体状の器具本体１１０と、光を反射する反射板１２０と、器具本体１１０の長手方向（図１のｙ方向）の一端側に取り付けられた給電側ソケット１３０と、他端側に取り付けられた保持側ソケット１４０と、を有している。また、照明器具１００は、対向配置された給電側ソケット１３０及び保持側ソケット１４０に装着される直管形ランプ８０を有している。
【００１４】
直管形ランプ８０は、給電側ソケット１３０及び保持側ソケット１４０に着脱自在な構成である。反射板１２０は、直管形ランプ８０からの光を照射方向１５０に向けて反射するものである。さらに、照明器具１００は、器具本体１１０と反射板１２０とで形成された箱体の内部に点灯回路（図示せず）を有しており、点灯回路は、給電側ソケット１３０に装着された直管形ランプ８０を点灯させるものである。
【００１５】
図２は、照明器具１００に搭載された直管形ランプ８０を例示する模式図である。直管形ランプ８０は、例えばＪＩＳ  Ｃ  ８１５９−１で規定されるＧＸ１６ｔ−５タイプの口金付き直管形ＬＥＤランプからなる。直管形ランプ８０は、透光性を有する合成樹脂材料により直管状に形成された発光管８１と、発光管８１の軸方向一端側に連結された給電側口金１１と、発光管８１の軸方向他端側に連結された保持側口金９０と、を有している。給電側口金１１には、給電側ソケット１３０に接続される一対の給電ピン３０が設けられており、保持側口金９０には、保持側ソケット１４０に接続される保持ピン９１が設けられている。
【００１６】
図３（Ａ）及び図３（Ｂ）は、直管形ランプ８０が有する給電側口金１１の斜視図及び正面図である。給電側口金１１は、給電側ソケット１３０に対向する対向端面２０ａを備えた円筒形状の口金本体２０と、対向端面２０ａに突出して設けられた突出部である第１突出部４１及び第２突出部４２と、一定の距離を隔てて第１突出部４１及び第２突出部４２に立設された一対の給電ピン３０と、一対の給電ピン３０の間の放電を防止する放電防止部としての切り欠き部４３と、を有している。すなわち、本実施の形態１における突出部は、切り欠き部４３によって分断された第１突出部４１と第２突出部４２とを有しており、放電防止部としての切り欠き部４３は、一対の給電ピン３０の間における突出部を切り欠いた溝状に形成されている。
【００１７】
一対の給電ピン３０は、直管形ランプ８０の軸方向に延びる軸部３１と、軸部３１の先端から外方に延びる端部３２と、から成るＬ字型形状である。軸部３１の外径側の端面には、給電側ソケット１３０の内部に設けられた導電金具（図示せず）と接触するピン接触部３１ａが備わっている。
【００１８】
第１突出部４１及び第２突出部４２は、切り欠き部４３側の各端面が傾斜面４１ａ及び傾斜面４２ａとなっており、切り欠き部４３は、第１突出部４１及び第２突出部４２に形成された傾斜面４１ａ及び傾斜面４２ａによって台形形状となっている。すなわち、図３（Ａ）に示す第１突出部４１及び第２突出部４２は、切り欠き部４３側の各端面である傾斜面４１ａと傾斜面４２ａとが、一方の端部に向かって互いに近づくように形成されている。また、傾斜面４１ａ及び傾斜面４２ａの一方の端部は、直管形ランプ８０の照射面側に配置されている。ここで、直管形ランプ８０の照射面とは、直管形ランプ８０の照射方向１５０に位置する面であり、以降においては単に「照射面」とも称する。したがって、傾斜面４１ａと傾斜面４２ａとは、照射方向１５０に向かって互いに近づくように形成されている。
【００１９】
切り欠き部４３は、傾斜面４１ａ及び傾斜面４２ａによる段差の分だけ第１突出部４１及び第２突出部４２よりも凹んでいるため、切り欠き部４３が設けられていない突起部よりも、一対の給電ピン３０の間の沿面距離を長くすることができることから、汚損物質の付着及び吸湿を低減することが可能となり、一対の給電ピン３０間における放電を防止することができる。
【００２０】
照明器具１００は、取り付けられた直管形ランプ８０の照射面側が重力方向となるように設置される場合が多い。かかる設置状況を考慮して、本実施の形態１では、図３（Ｂ）に示すように、切り欠き部４３の台形形状の長辺側が照射面側とは反対側となるように配置し、切り欠き部４３の台形形状の短辺側が照射面側となるように配置している。すなわち、対向端面２０ａに付着した汚損物質が、傾斜面４１ａ及び傾斜面４２ａをガイドとして、重力方向へ落下し易くなるように構成したため、汚損物質が一対の給電ピン３０の間に残留することを防止することができ、一対の給電ピン３０の間に発生するトラッキング現象を抑制することができる。
【００２１】
なお、切り欠き部４３の台形形状については、長辺側が照射面側となり、短辺側が照射面側とは反対側となるように、第１突出部４１及び第２突出部４２の切り欠き部４３側の各端面を形成してもよい。もっとも、第１突出部４１及び第２突出部４２の切り欠き部４３側の各端面は、傾斜面に限定されず、照射方向１５０（重力方向）に向かって近づくように形成された種々の形状であってもよい。また、第１突出部４１及び第２突出部４２の切り欠き部４３側の各端面は、照射方向１５０に向かって遠のくように形成されていてもよい。さらに、第１突出部４１又は第２突出部４２の何れか一方における切り欠き部４３側の端面が傾斜面となるようにしてもよく、この場合、第１突出部４１及び第２突出部４２は、切り欠き部４３側の各端面が、上記傾斜面の一方の端部に向かって互いに近づくように形成されることが好ましい。また、切り欠き部４３の形状が、長方形又は正方形等の矩形形状となるように、第１突出部４１及び第２突出部４２の切り欠き部４３側の各端面を形成してもよい。
【００２２】
（実施の形態２）
図４（Ａ）及び図４（Ｂ）は、実施の形態２における給電側口金１２の斜視図及び平面図である。給電側口金１２の基本的な構成は、前述した実施の形態１の給電側口金１１と同様であるが、給電側口金１２では、放電防止部として、一対の給電ピン３０の一部を覆う絶縁性の絶縁部材５０を採用した点に特徴がある。よって、給電側口金１１と同一の構成部材については同一の符号を用いて説明は省略する。
【００２３】
給電側口金１２は、一対の給電ピン３０を結ぶ方向に沿って対向端面２０ａに設けられた、直管形ランプ８０の軸方向に突出する突出部４０を有している。このため、給電側口金１２は、突出部４０を挟む照射方向１５０における両側が、半円状に凹んだ形状となっている。
【００２４】
本実施の形態２における突出部４０は、放電防止部として、一対の給電ピン３０の対向面３１ｂの突出部４０上部と、対向面３１ｂに連なる側面３１ｃ及び側面３１ｄの突出部４０上部と、を覆う絶縁性の絶縁部材５０を有している。すなわち、絶縁部材５０は、軸部３１の外径側の端面（ピン接触部３１ａが設けられた端面）を除く突出部４０側の周囲に、樹脂等で立設された周壁状の部材である。絶縁部材５０が、軸部３１に設けられたピン接触部３１ａに配置されると、給電側ソケット１３０内の導電金具（導電接触片）との電気的接触が困難となるため、絶縁部材５０は、ピン接触部３１ａが露出するように形成されている。
【００２５】
ここで、図５は、絶縁部材５０が一対の給電ピンの照射方向１５０における各側面の半分程度を覆う場合の給電側口金１２Ａを示す平面図である。図６は、絶縁部材５０が一対の給電ピン３０の対向面３１ｂを覆う場合の給電側口金１２Ｂを示す平面図である。図７は、絶縁部材５０によって対向面３１ｂを覆う形状が半円状である場合の給電側口金１２Ｃを示す平面図である。すなわち、絶縁部材５０は、ピン接触部３１ａが露出するように形成すればよいため、図５に示すように、絶縁部材５０は、対向面３１ｂから外方に向かって側面３１ｃ及び側面３１ｄの半分程度を覆うように形成してもよい。また、絶縁部材５０は、側面３１ｃ及び側面３１ｄの何れか一方を覆うように形成してもよい。さらに、絶縁部材５０は、図６に示すように、対向面３１ｂのみを覆うように形成してもよく、図７に示すように、対向面３１ｂを覆う形状が半円状となるように形成してもよい。
【００２６】
本実施の形態２では、給電側口金（１２、１２Ａ〜１２Ｃ）が、放電防止部として、周壁状に形成された絶縁性の絶縁部材５０を有しているため、対抗する２本の給電ピン３０の間の沿面距離を長くすることができる。したがって、絶縁部材５０の絶縁性と沿面距離の延長とが相まって、一対の給電ピン３０の間に発生する放電を防止し、トラッキング現象の発生を抑制することができる。
【００２７】
（実施の形態３）
図８（Ａ）及び図８（Ｂ）は、実施の形態３における給電側口金１３を示す斜視図及び平面図である。また、図９は、図８（Ｂ）のＱ−Ｑ線に沿った概略断面図であり、図１０は、図８（Ａ）の給電側口金１３を給電側ソケット１３０に装着した状態を示す説明図である。
給電側口金１３の基本的な構成は、上述した実施の形態２の給電側口金１２と同様であるが、給電側口金１３では、突出部４０に傾斜を設けた形状である傾斜突出部６０を採用した点に特徴がある。よって、実施の形態１及び２と同一の構成部材については同一の符号を用いて説明は省略する。
【００２８】
傾斜突出部６０の照射方向１５０における各端面は、反射板１２０側に位置する高端面６１と、直管形ランプ８０の照射面側に位置する低端面６２とからなり、突出部４０と同様に、直管形ランプ８０の長手方向に対し平行に延びている。また、直管形ランプ８０の長手方向の高さについては、高端面６１の方が低端面６２よりも長くなっている。より具体的には、図９に示すように、低端面６２の高さをＡ（ｍｍ）とすると、高端面６１の高さは、低端面６２よりもα（ｍｍ）だけ高くしたＡ＋α（ｍｍ）と表せる。ここで、Ａ及びαは、予め設定される正の数であり、任意に設定変更することができる。このように、傾斜突出部６０には、高端面６１から低端面６２に向かって緩やかに内側へと傾斜する対向傾斜面６３が形成されている。すなわち、給電側口金１３における放電防止部は、突出部４０のうち、給電側ソケット１３０に対向する面側に形成された対向傾斜面６３を有する傾斜部であり、傾斜突出部６０は、突出部４０と対向傾斜面６３を有する傾斜部とにより構成されている。
【００２９】
給電側ソケット１３０に直管形ランプ８０の給電側口金１３を挿入すると、傾斜突出部６０には、照射面側に行くほど内側に傾斜する対向傾斜面６３が形成されているため、図１０に示すように、直管形ランプ８０が傾きながら装着される。また、給電側口金１３によれば、高端面６１と低端面６２の高さが等しい突出部４０のような場合よりも、傾斜突出部６０の高端面６１が、給電側ソケット１３０の表面を強く押すことができるため、給電側ソケット１３０との間に隙間ができないように高端面６１を密着させることが可能となる。これにより、照射面の反対側から汚損物質が侵入することを防止することができる。また、仮に、汚損物質が入り込んだ場合でも、傾斜突出部６０が照射面に向かうほど内側に傾斜しているため、付着した汚損物質が重力方向へ落下し易く、汚損物質が一対の給電ピン３０の間に残留することを防止することができる。したがって、汚損物質の蓄積に起因した一対の給電ピン３０間に発生する放電を防止し、トラッキング現象の発生を抑制することができる。
【００３０】
（実施の形態４）
図１１（Ａ）及び図１１（Ｂ）は、実施の形態４における給電側口金１４を示す斜視図及び平面図である。給電側口金１４の基本的な構成は、上述した実施の形態２の給電側口金１２と同様であるが、給電側口金１４では、放電防止部として、突出部４０の一部の面に口金本体２０よりも耐トラッキング性に優れた樹脂からなる保護部材７０が設けられている点に特徴がある。よって、実施の形態１〜３と同一の構成部材については同一の符号を用いて説明は省略する。
【００３１】
本実施の形態４の給電側口金１４は、突出部４０が、放電防止部として、一対の給電ピン３０の間に、口金本体２０よりも耐トラッキング性が高い樹脂からなる保護部材７０を有している。ここで、口金本体２０と突出部４０とは、同じ材料で一体成型により形成される。口金本体２０及び突出部４０の材料には、耐トラッキング性の点は考慮されていないＰＢＴ（ポリブチレンテレフタレート）等が用いられる。一方、保護部材７０は、口金本体２０とは異なる材料により形成されており、例えばシリコン又はナイロン等の耐トラッキング性に優れた樹脂で構成されている。
【００３２】
また、本実施の形態４では、更なる放電防止の効果を得るために、保護部材７０は、弾力のあるシリコン等で構成されている。保護部材７０は、突出部４０よりも突出しているため、給電側ソケット１３０へ直管形ランプ８０を装着する際に、保護部材７０が給電側ソケット１３０により押し潰される。したがって、直管形ランプ８０の装着が完了すると、保護部材７０が給電側ソケット１３０に密着した状態となるため、一対の給電ピン３０の間に汚損物質が侵入することを防ぐことができる。
【００３３】
なお、本実施の形態４では、保護部材７０が、突出部４０を覆うように設けられた場合を例示したが、これに限定されず、例えば、突出部４０に実施の形態１のような切り欠き部を設けると共に、設けた切り欠き部に保護部材７０を形成するようにしてもよい。
【００３４】
（実施の形態１〜４の効果）
実施形態１〜４における給電側口金１１〜１４は、口金本体の突出部に立設された一対の給電ピンの間に生じる放電を防止する放電防止部を有するため、直管形ランプの口金に設けられた一対の給電ピンの間に生じる放電を防止することができる。
【００３５】
ここで、従来の直管形ＬＥＤランプの給電側口金と、給電側口金１１〜１４とを比較することにより、実施の形態１〜４における効果を説明する。図１２（Ａ）及び図１２（Ｂ）は、ＪＩＳ  Ｃ  ７７０９−１で規定されている、従来のＧＸ１６ｔ−５タイプの給電側口金を示す斜視図及び正面図である。給電側口金２００は、円筒形状の口金本体２０と、一対の給電ピン３０と、口金本体２０の給電側ソケット１３０に対向する対向端面２０ａに設けられ、直管形ランプ８０の軸方向に突出する突出部４０と、により構成されている。すなわち、給電側口金２００には、一対の給電ピン３０の間に汚損物質が侵入することを防ぐための構成、又は一端侵入した汚損物質を外部へと促すような構成を有していない。
【００３６】
これに対し、本発明の実施の形態１〜４における直管形ランプの口金である給電側口金１１〜１４（１２Ａ〜１２Ｃを含む）はそれぞれ、切り欠き部４３、絶縁部材５０、傾斜突出部６０、又は保護部材７０により、一対の給電ピン３０間への汚損物質の侵入又は残留を防ぎ、一対の給電ピン３０間における放電を緩和する放電防止部が形成されているため、直管形ランプの口金に設けられた一対の給電ピン３０の間に生じる放電を防止することができる。すなわち、従来において、直管形ランプの２本の給電ピンの間で発生していたトラッキングを予防することができる。したがって、設置環境にかかわらず、直管形ランプのランプピン間で発生するトラッキングを予防することができる直管形ランプの口金、直管形ランプ、及び照明器具の提供が可能となる。
【００３７】
なお、上述した各実施形態は、直管形ランプの口金、直管形ランプ、及び照明器具における好適な具体例であり、技術的に好ましい種々の限定を付している場合もあるが、本発明の技術的範囲は、特に本発明を限定する記載がない限り、これらの態様に限定されるものではない。例えば、上述した各実施の形態における放電防止部を組み合わせて、直管形ランプの口金を形成するようにしてもよい。すなわち、切り欠き部４３と絶縁部材５０との双方を有する給電側口金、又は絶縁部材５０と保護部材７０との双方を有する給電側口金等を形成するようにしてもよい。また、実施の形態３のような放電防止部としての傾斜部を、実施の形態２及び４の突出部４０における給電側ソケット１３０に対向する面側、又は実施の形態１の第１突出部４１及び第２突出部４２における給電側ソケット１３０に対向する面側に設けるようにしてもよい。もっとも、給電側口金１１〜１４（１２Ａ〜１２Ｃを含む）が有する放電防止部は、直管蛍光灯ランプの口金又はコンセント等といった直管形ＬＥＤランプ以外のものに採用してもよい。
【符号の説明】
【００３８】
１１〜１４、１２Ａ〜１２Ｃ、２００  給電側口金、２０  口金本体、２０ａ  対向端面、３０  一対の給電ピン、３１  軸部、３１ａ  ピン接触部、３１ｂ  対向面、３１ｃ、３１ｄ  側面、３２  端部、４０  突出部、４１  第１突出部、４１ａ  傾斜面、４２  第２突出部、４２ａ  傾斜面、４３  切り欠き部、５０  絶縁部材、６０  傾斜突出部、６１  高端面、６２  低端面、６３  対向傾斜面、７０  保護部材、８０  直管形ランプ、８１  発光管、９０  保持側口金、９１  保持ピン、１００  照明器具、１１０  器具本体、１２０  反射板、１３０  給電側ソケット、１４０  保持側ソケット、１５０  照射方向。
【図１】
0006456106.tif 000002
【図２】
0006456106.tif 000003
【図３】
0006456106.tif 000004
【図４】
0006456106.tif 000005
【図５】
0006456106.tif 000006
【図６】
0006456106.tif 000007
【図７】
0006456106.tif 000008
【図８】
0006456106.tif 000009
【図９】
0006456106.tif 000010
【図１０】
0006456106.tif 000011
【図１１】
0006456106.tif 000012
【図１２】
0006456106.tif 000013